(57)【特許請求の範囲】
【請求項１】
持ち運び可能で多目的の全身エクササイズ器具であって、
第１及び第２の開端部を有した剛質の円筒形であり、その第１の開端部が、第１のエンドキャップによって閉じられ、第２の開端部が、着脱可能であると共に係止可能な第２のエンドキャップによって選択的に閉じられる剛質円筒形中空管と、
その剛質円筒形中空管の内部の格納位置と第２の開端部での動作位置とに選択的に配置される延長バーと、
その延長バーに設けられた抵抗メカニズムと、を備える
ことを特徴とする多目的可搬全身エクササイズ器具。
【請求項２】
延長バーが、動作位置で、剛質円筒形中空管の両方の側端部から垂直に延在する
請求項１に記載の多目的可搬全身エクササイズ器具。
【請求項３】
延長バーの各端部に、回転可能なＵ字形金具及び回転可能な可変抵抗モジュールを備える
請求項１に記載の多目的可搬全身エクササイズ器具。
【請求項４】
Ｕ字形金具の回転シャフトに、溝が設けられ、回転制限メカニズムを作用させるための止め具が、延長バーを通過して回転シャフトの溝内に延在する
請求項１に記載の多目的可搬全身エクササイズ器具。
【請求項５】
可変抵抗モジュールが完全に一回転するのを防止するために、Ｕ字形金具のアームの側面と選択的に係合するＶ字形の回転ストップ部が、可変抵抗モジュールに備わる
請求項３に記載の多目的可搬全身エクササイズ器具。
【請求項６】
可変抵抗モジュールが、第１の最小抵抗設定、第２の中間抵抗設計、第３の最大抵抗設定を有する
請求項３に記載の多目的可搬全身エクササイズ器具。
【請求項７】
第２の開端部が、少なくとも１つの位置合わせ切欠きを備える
請求項１に記載の多目的可搬全身エクササイズ器具。
【請求項８】
延長バーが、第２の開端部の少なくとも１つの位置合わせ切欠きの内部に挿入されるための相補形状の少なくとも１つの位置合わせフランジを備える
請求項７に記載の多目的可搬全身エクササイズ器具。
【請求項９】
延長バーが、第２の開端部の少なくとも１つの位置合わせ切欠きの内部に挿入されるための相補形状の少なくとも１つの位置合わせフランジを有する位置決め部片を備える
請求項７に記載の多目的可搬全身エクササイズ器具。
【請求項１０】
第２の開端部の内面に形成された少なくとも１つのロックストップと、
第２のエンドキャップに形成された少なくとも１つのロックストップ受取り部分とを備え、
少なくとも１つのロックストップが、少なくとも１つのロックストップ受取り部分の内部に選択的に受け取られて保持される
請求項１に記載の多目的可搬全身エクササイズ器具。
【請求項１１】
第２のエンドキャップが、ハンドル及びバイアスロックボタンを備える
請求項１に記載の多目的可搬全身エクササイズ器具。
【請求項１２】
剛質円筒形中空管の第１及び第２の端部が露出した状態で、剛質円筒形中空管の外面の一部分を覆う交換可能な弾性材料を備える
請求項１に記載の多目的可搬全身エクササイズ器具。
【請求項１３】
剛質円筒形中空管の内部の格納位置と第２の開端部での動作位置とで選択的に配置される垂直延長バーを備える
請求項１に記載の多目的可搬全身エクササイズ器具。
【請求項１４】
垂直延長バーが、使用者にスペースを提供する湾曲部を備える
請求項１３に記載の多目的可搬全身エクササイズ器具。
【請求項１５】
剛質円筒形中空管に、使用者にクッションを提供するクッションパッドを備える
請求項１に記載の多目的可搬全身エクササイズ器具。
【請求項１６】
剛質円筒形中空管の内部の格納位置で、中に延長バーを保持するための内側ケースを備える
請求項１に記載の多目的可搬全身エクササイズ器具。
【請求項１７】
支持面で剛質円筒形中空管を覆う安定ボックスを備え、剛質円筒形中空管の少なくとも第１の開端部が、安定ボックスの端部を越えて延在する
請求項１に記載の多目的可搬全身エクササイズ器具。
【請求項１８】
延長バーの少なくとも一部分を覆う少なくとも１つの安定ステップを備え、延長バーの一端に位置決めされた回転可能なＵ字形金具及び回転可能な可変抵抗モジュールが、少なくとも１つの安定ステップによって覆われない
請求項１に記載の多目的可搬全身エクササイズ器具。
【請求項１９】
支持面での剛質円筒形中空管の回転を防止するために、剛質円筒形中空管と支持面との間に配置される少なくとも１つの安定用楔を備える
請求項１に記載の多目的可搬全身エクササイズ器具。
【請求項２０】
多目的のエクササイズ装置であって、
外面及び内面を有する剛質円筒形管と、
その剛質円筒形管の端部が露出した状態で剛質円筒形管の外面の一部分を覆う交換可能な弾性材料と、
剛質円筒形管の各端部に位置する取付穴及び切欠きと、
剛質円筒形管の内面に取り付けられ、チャネルの各バーにスロットを有する並設チャネルであり、引込み式の延長バーがピン部材によってチャネルに枢動可能に固定され、ピン部材がチャネルのスロット内部で摺動する構成の並設チャネルと、
着脱可能に延長バーに接続でき、使用者が手で掴むかまたは使用者の足を通せるループを有する可変抵抗モジュールと、を備える
ことを特徴とする多目的エクササイズ装置。
【発明の詳細な説明】
【技術分野】
【０００１】
本発明は、エクササイズ及び治療用機器の分野に関する。詳細には、体幹フィットネスを鍛えるための装置として、またはフィットネス全般やピラティスエクササイズのための補助器具として、または治療及び／またはリハビリテーションの補助として、またはストレッチ全般、ボディローリング、バランストレーニングの補助として、または特定のスポーツに関連する練習、例えばゴルフの練習、テニスの練習、バレーボールの練習、またはセーリングの練習の実施用としてなど、多目的で使用できる持ち運び可能な全身エクササイズ器具に関する。
【背景技術】
【０００２】
市場には家庭用エクササイズ機器として多くの選択肢があり、それらはどれも特定の筋肉群または複数の筋肉群を対象としたものであるが、運び可能な多目的全身エクササイズ器具の実施形態で可能なように多くの形態で、フィットネス全般、治療の補助、リハビリテーションの補助、及びエクササイズのために利用することができる機器は、本発明者が知る限りでは存在しない。
【０００３】
１つの類似する器具は、１９９７年にＶａｎｉに付与された特許文献１による多目的エクササイズ器具であり、これは、円筒形ピロー（１２）と、ピローの横方向部分を越えて延びる一対のハンドル（１４）とを備える。各ハンドルが、円筒形ピローのコアを通って延びる可撓性管（１６）の端部に取り付けられる。この器具を使用していくつかのエクササイズを行うことができるが、運動範囲及び抵抗の向きは制限される。
【０００４】
別の器具は、２００５年にＬｉｎに付与された特許文献２によるものであり、弾性のボール体（１０）に接続された細長い硬質ボード（２０）を備えるエクササイズバランストレーニング器具を開示する。ボードには複数の貫通穴（２４）があり、これらの貫通穴（２４）は可撓性ロープ（３１、３２）を受け取ることができる。可撓性ロープの一端にハンドグリップ（３１３、３１２）が取り付けられる。ボディボールは、ボードの片側に取り付けられたドーム形の弾性体である。本明細書で開示する持ち運び可能な多目的全身エクササイズ器具の実施形態は、円筒形ローラを用いた改良型のエクササイズ法を提供する。使用者はバランスを取りながら、またはバランスを取る必要なく、円筒形ローラ上に脊椎をまっすぐ乗せることができる。
【０００５】
２００３年にＳｉａｐｅｒｅｓに付与された特許文献３による別の器具は、箱型の本体と蝶番式のカバーとを備える長方形状の多目的エクササイズ装置であり、カバーを持ち上げることができ、抵抗タイプのエクササイズを行うときに使用者が器具に寄り掛かることができる。箱枠の側部に取り付けられたバンドによって抵抗が加えられるが、この器具は重く、簡単には運べない。
【０００６】
特許文献４に開示される手動操作式の治療用ローラ及びエクササイズ器具として知られている別の装置は、硬質材料の中空コアからなる円筒形ローラを備え、フォームラバーがローラに接着されてローラを覆い、フォームラバー被覆の上に可撓性ゴムシートが固定されている。円筒形ローラの各端部に円筒形の回転可能なシャフトが固定され、コアとシャフトの間の回転運動を可能にする。シャフトの各端部にあるソケットを通ってグリップハンドルが延び、グリップハンドルは弾性コードに取り付けられる。弾性コードは、第１のソケットから内側に向かって、シャフトを通って、反対側のソケットに固定されたリターンプーリまで延び、前記第１のソケットの反対側の内側横方向表面に取り付けられる。弾性コードが固定された位置にあり、エクササイズの強度を高めるために位置変更することができないので、この器具も機能が限られている。
【０００７】
別の器具は、フォームローラとして知られている。フォームローラは、フィットネス及びリハビリテーションの業界ではよく知られていて、今日、ほぼどこのジムにも置いてある。フォームローラは、ストレッチ及び柔軟性の向上、ならびに脊椎、体幹筋、または手足のリハビリテーションのために使用される。フォームローラは簡単に運べるが、このローラだけを使って行うことができるエクササイズは限られている。一方、本明細書で開示する持ち運び可能な多目的全身エクササイズ器具の実施形態は、多様なエクササイズのために利用することができる取付け可能な付属部品を備える。
【０００８】
別のスタイルのエクササイズ、すなわちピラティスは、姿勢制御及び体幹強度の改善を達成するために、抵抗をかけながら特に生理学的姿勢で身体及び手足の特定の運動を行うことによって、体幹筋を発達させて強化するエクササイズの一形態である。筋肉を強化してけがを防止するために、適切な呼吸法を使用しながら所定の運動中に体幹筋及び体幹制御に焦点を当てたエクササイズが行われる。けがからの回復が、ピラティス法の主要な目的の１つである。
【０００９】
本明細書で開示する本発明の実施形態は、フィットネス、ピラティス、及び／またはリハビリテーション運動もしくはエクササイズの初心者から上級者に至るまで誰にとっても、多様なフィットネス全般のエクササイズ、ピラティスタイプのエクササイズ、治療エクササイズ、リハビリテーションエクササイズ、及び体幹強化エクササイズを行うことができるようにする独特の構成を組み込んでいる。
【００１０】
ピラティスエクササイズに使用されている既存の機器は大型で高価であり、典型的にはピラティススタジオにあり、個人の家にはなく、また個人トレーナーなど各所に飛び回る人は所有していない。また、旅行先でピラティスタイプのエクササイズを行うことができることは、仕事で家を離れてピラティススタジオに行けないことが多い者にとっては非常に有益となる。
【００１１】
このような機器の１つは、ピラティスリフォーマとして知られている。リフォーマは、体幹強化エクササイズに使用される大型の器具である。この器具は、ツインベッドのサイズであり、すなわち固定型のものであり持ち運びは意図されていない。器具は、ベッドのフレームによく似た形で構成され、動的部分はフレームの内側に固定され、様々なピラティスエクササイズのために使用できるようになっている。このタイプの器具は、スタジオまたは個人ジム環境でピラティス運動に使用することができるが、運ぶのには大きな労力が必要である。
【００１２】
ピラティスエクササイズに使用される別の装置は、キャデラックとして知られている。このタイプの器具は、スタジオまたは他の固定環境で使用されるように設計された別の大型の器具である。リフォーマと同様の基礎フレームを有するが、より背が高く、また基礎フレームの各隅から垂直に延びる延長バーを備え、各垂直バーの頂部にクロスバーが接続されている。これらの延長バーに関連付けていくつかのエクササイズ及びストレッチルーチンが行われるが、この大型の器具もスタジオ環境で使用され、非常に高価である。
【先行技術文献】
【特許文献】
【００１３】
【特許文献１】米国特許第５６８１２４８号
【特許文献２】米国特許第６８７２１７５号
【特許文献３】米国特許第６６３４９９８号
【特許文献４】米国特許第３２９８６８７号
【発明の概要】
【発明が解決しようとする課題】
【００１４】
本発明は、個人が自宅にいながら、または旅行先で、フィットネス全般のエクササイズ、ピラティスタイプのエクササイズ、体幹強化エクササイズ、治療エクササイズ、及びリハビリテーションエクササイズを行うことができるようにする持ち運び可能な装置を提供する。さらに、個人トレーナーまたはリハビリテーションの環境で、または集団トレーニング用の従来のジムクラス環境で購入可能な価格であり使用することができる装置を提供する。
【課題を解決するための手段】
【００１５】
本明細書で開示する持ち運び可能な多目的全身エクササイズ器具の実施形態は、付属部品を格納することができ、そのような付属部品は、取り外しが簡単であり、多様なフィットネス全般のエクササイズ、ピラティスタイプのエクササイズ、体幹強化エクササイズ、治療エクササイズ、及びリハビリテーションエクササイズを行うように構成される。また、最小限の労力で簡単に運ぶことができるものとする。また、最小限の労力で簡単に設置することもできるものとする。また、多様なエクササイズを使用者が行えるようにする多様な適合可能な付属部品を利用することができるものとする。
【００１６】
本発明の実施形態は、多様なフィットネス全般のエクササイズ、ピラティスタイプのエクササイズ、体幹強化エクササイズ、治療エクササイズ、及びリハビリテーションエクササイズを行うために使用することができる持ち運び可能な多目的全身エクササイズ器具を提供する。この持ち運び可能な多目的全身エクササイズ器具は、直径が５〜８インチ（約１２．７〜約２０．３２ｃｍ）の範囲内であり、長さが３〜４フィート（約９１．４〜約１２１．９ｃｍ）である剛質管（「ローラ」と呼ぶことがある）からなる。剛質管は、ハードプラスチック、アルミニウム、または別の剛質材料からなることがあり、使用者が管の長さに沿って横たわったとき、管の上に立ったとき、または管の上にひざまずいたときに使用者の重さに耐えられるように十分に強くなければならない。管の壁厚は、使用される材料に応じて、１／８〜１／２インチ（約０．３２〜約１．２７ｃｍ）の範囲内でよい。
【００１７】
剛質管の外面の中央部分は、発泡樹脂やゴムなど交換可能な弾性材料で覆われ、この弾性材料は厚さを１／２インチ〜２インチ（約１．２７〜約５．０８ｃｍ）の範囲にすることができる。弾性材料は、剛質のローラ表面と使用者の身体との間にクッション面を提供する。カバーは、使用者の好みに応じて、様々な硬さ及び厚さの弾性材料で交換可能である。持ち運び可能な多目的全身エクササイズ器具の剛質管部分の端部は、弾性被覆を越えて延在し、本明細書では「露出した」または「突出した」端部と呼ぶことがある。露出した端部は、様々なタイプの抵抗付属器具を受け取るための穴及び切欠きを有する。そのような付属器具は、可変抵抗モジュール（ＶＲＭ）を備える剛質の延長バーでよい。１つの例示的実施形態では、付属器具は、管の剛質コアの内部から抜き出して広げ、それを受け取ることができる切欠き内に嵌めることができる。
【００１８】
別の付属器具は、抵抗バンドを備える中空ロッドでよく、ロッドの中空中央部を通って延びるハンドループを有する。バンジーコードや弾性バンドなど直接の可撓性付属器具を、剛質コアの露出した端部にある穴に直接取り付けることもできる。したがって、使用者には、自分の希望またはエクササイズ実践に応じて様々な付属メカニズムの多様な選択肢がある。
【００１９】
１つの例示的実施形態では、本発明による持ち運び可能な多目的全身エクササイズ器具は、引込み式の延長バーを含み、このバーは、中空剛質コアから引き出されて、コアローラの長手軸に垂直に広がり出る。延長バーは可変抵抗モジュール（ＶＲＭ）を有し、可変抵抗モジュールは着脱可能であり、前記延長バーの端部、または前記延長バーに沿った任意の位置に取り付けることができる。多様なフィットネス全般のエクササイズ、ピラティスタイプのエクササイズ、体幹強化エクササイズ、治療エクササイズ、及びリハビリテーションエクササイズを可能にするために、前記延長バーの端部に他の抵抗メカニズムを取り付けることもできる。
【００２０】
この例示的実施形態では、２組の延長バーが、ローラの中空コアの各端部範囲内に並置されていて、剛質ローラの内面に取り付けられたチャネル部材の内部で摺動する。チャネルは、各チャネルの両脚にスロットを有し、スロットは保持ピンを受け取り、保持ピンは各延長バーの端部に取り付けられ、保持ピンの周りで各延長バーが枢動する。延長バーは、剛質管の中心から引き出され、コアローラの軸に対して垂直に外に広げられる。
【００２１】
使用しないとき、延長バーは畳まれて、管の中空コア内部に摺動して戻される。持ち運び中に各端部を閉じて延長バーを固定するために、着脱可能なエンドキャップをローラの端部に嵌めることができる。楽に運べるようにする補助として、ショルダストラップ、またはショルダストラップを有するキャリーケースを使用することができる。
【００２２】
別の例示的実施形態は、長さが１２〜２４インチ（約３０．４８〜約６０．９６ｃｍ）の延長バーを有し、これは、コアローラ内部に緩く格納され、コアローラの露出した端部にある穴を通して取り出して固定することができる。旋回ブラケットにより、抵抗トレーニングエクササイズのために、可変抵抗モジュール（ＶＲＭ）、またはエクササイズバンドを含めた他の着脱可能な抵抗メカニズムを延長バーに取り付けることができるようになる。
【００２３】
また、フィットネス全般のエクササイズ、ピラティスタイプのエクササイズ、体幹強化エクササイズ、治療エクササイズ、及びリハビリテーションエクササイズのために、延長バーが取り外された状態で、細いシート状の可撓性弾性材料からなる抵抗バンドをコアローラの端部に直接接続することもでき、または延長バーに接続することもできる。
【００２４】
さらなる例示的実施形態は、剛質ボードを有し、持ち運び可能な多目的全身エクササイズ器具の剛質端部を受け取るために貫通穴が開けられている。剛質ボードは、コアローラを安定化させる働きをする。穴及び切欠きは、ボードの周縁に沿って設けられて、抵抗エクササイズ用の高伸縮性バンドを受け取る。剛質の安定用ボードは、様々な形状及びサイズにすることができる。いくつかの例示的実施形態を説明する。
【００２５】
エクササイズならびに器具の格納及び持ち運びの際に使用者の助けとなることがある他の付属部品を提供することもできる。
【００２６】
１つのそのような付属部品は安定用楔であり、これは、持ち運び可能な多目的全身エクササイズ器具の下に嵌まって、エクササイズ実施中にローラを安定化させる。安定用楔は、床に接する平坦な面と、使用中にローラを安定化する助けとなるようにローラ表面に係合する半円形の表面とを有する硬い材料からなる。
【００２７】
別の付属部品は、ローラ床スタンドであり、これは、持ち運び可能な多目的全身エクササイズ器具を垂直姿勢で保持するために使用される。いくつかのエクササイズは、ローラを垂直姿勢にして行うことができる。また、床スタンドにより、器具は、使用していないときに場所を取らず、しかもすぐにまた使えるようにすることができる。
【００２８】
追加の付属部品としては骨盤支持パッドがあり、これは、骨盤領域を支持するためにローラと使用者の間に配置することができる。さらに安定ボックスがあり、これは、使用者が上に座るまたは横たわるためのより大きな安定した支持面を提供するためにローラの上に配置することができる。
【００２９】
代替実施形態では、着脱可能であり格納可能な延長バーが提供され、この延長バーは、ローラの開端部に挿入される着脱可能であり係止可能なエンドキャップを使用することによって、ローラの開端部で定位置に選択的に係止することができる。
【図面の簡単な説明】
【００３０】
【図１】延長バーがしまわれた状態での持ち運び可能な多目的全身エクササイズ器具の斜視図
【図２】テンションプーリ、重錘負荷メカニズム、可変抵抗モジュール（ＶＲＭ）、及びハンドループのための旋回ブラケットを備え、横方向延長バーが片側で延びた状態での持ち運び可能な多目的全身エクササイズ器具の斜視図
【図３】テンションプーリ、重錘負荷メカニズム、可変抵抗モジュール（ＶＲＭ）、及びハンドループのための旋回ブラケットを備え、かつ安定用楔が使用され、横方向延長バーが延出し、垂直延長バーが取り付けられた状態ですべてのバーが図示されている持ち運び可能な多目的全身エクササイズ器具の斜視図
【図４】安定用楔が使用され、横方向延長バー及び垂直延長バーがローラの両端に配置された状態での持ち運び可能な多目的全身エクササイズ器具の斜視図
【図５】延長バーが抜き出された位置にある状態で延長バーアセンブリを示す持ち運び可能な多目的全身エクササイズ器具の斜視断面図
【図６】一部抜き出された延長バーを示す持ち運び可能な多目的全身エクササイズ器具の平面断面図
【図７】格納された位置での延長バーを示す持ち運び可能な多目的全身エクササイズ器具の平面断面図
【図８】着脱可能なエンドキャップを備える持ち運び可能な多目的全身エクササイズ器具の斜視図
【図９】持ち運び用のバックパック内に入れられた持ち運び可能な多目的全身エクササイズ器具を示す説明図
【図１０ａ】持ち運び可能な多目的全身エクササイズ器具で行うことができるエクササイズの例を示す説明図
【図１０ｂ】持ち運び可能な多目的全身エクササイズ器具で行うことができるエクササイズの例を示す説明図
【図１０ｃ】持ち運び可能な多目的全身エクササイズ器具で行うことができるエクササイズの例を示す説明図
【図１０ｄ】持ち運び可能な多目的全身エクササイズ器具で行うことができるエクササイズの例を示す説明図
【図１０ｅ】持ち運び可能な多目的全身エクササイズ器具で行うことができるエクササイズの例を示す説明図
【図１０ｆ】持ち運び可能な多目的全身エクササイズ器具で行うことができるエクササイズの例を示す説明図
【図１０ｇ】持ち運び可能な多目的全身エクササイズ器具で行うことができるエクササイズの例を示す説明図
【図１０ｈ】持ち運び可能な多目的全身エクササイズ器具で行うことができるエクササイズの例を示す説明図
【図１１ａ】着脱可能な延長ロッドがローラの一端に配置された状態での持ち運び可能な多目的全身エクササイズ器具の斜視図
【図１１ｂ】旋回ブラケット及び可変抵抗モジュール（ＶＲＭ）がそれらの可能な格納位置で示され、着脱可能な延長ロッドを備える持ち運び可能な多目的全身エクササイズ器具の平面断面図
【図１２】安定用ボードに取り付けられた持ち運び可能な多目的全身エクササイズ器具の斜視図
【図１３】床スタンド及び持ち運び可能な多目的全身エクササイズ器具の斜視図
【図１４】床スタンド及び持ち運び可能な多目的全身エクササイズ器具の斜視図
【図１５ａ】旋回ブラケットに取り付けられた可変抵抗モジュール（ＶＲＭ）の斜視図
【図１５ｂ】旋回ブラケットに取り付けられた可変抵抗モジュール（ＶＲＭ）の正面図、側面図、底面図
【図１６】持ち運び可能な多目的全身エクササイズ器具の例示的実施形態の斜視図
【図１７】図１６に示される持ち運び可能な多目的全身エクササイズ器具の実施形態の一端を示し、着脱可能であり係止可能なエンドキャップの部分斜視分解図
【図１８ａ】図１６に示される持ち運び可能な多目的全身エクササイズ器具の実施形態における着脱可能であり係止可能なエンドキャップの係止メカニズムの部分斜視図
【図１８ｂ】図１６に示される持ち運び可能な多目的全身エクササイズ器具の実施形態における着脱可能であり係止可能なエンドキャップの係止メカニズムの部分斜視図
【図１９】図１６に示される持ち運び可能な多目的全身エクササイズ器具の実施形態における延長アームの１つに取り付けられた旋回ブラケット（Ｕ字形金具）及び可変抵抗モジュール（ＶＲＭ）の部分斜視図
【図２０】回転ストップが突き当たって停止した向きにあり、図１９のＵ字形金具及び可変抵抗モジュール（ＶＲＭ）を示す部分斜視図
【図２１】内部構成要素を図示するためにカバーの半分を取り除いた可変抵抗モジュール（ＶＲＭ）の斜視図
【図２２ａ】抵抗選択ボタンが押された状態であり、図２１に示される可変抵抗モジュール（ＶＲＭ）の側面図
【図２２ｂ】抵抗選択ボタンが押された状態であり、図２１に示される可変抵抗モジュール（ＶＲＭ）の平面図
【図２３ａ】抵抗選択ボタンが押されていない状態であり、図２１に示される可変抵抗モジュール（ＶＲＭ）の側面図
【図２３ｂ】抵抗選択ボタンが押されていない状態であり、図２１に示される可変抵抗モジュール（ＶＲＭ）の平面図
【図２４ａ】押された状態での抵抗選択ボタンの部分平面図
【図２４ｂ】押されていない状態での抵抗選択ボタンの部分平面図
【図２５】抵抗選択ボタン単独での平面図である。
【図２６ａ】Ｕ字形金具が少なくとも１８０度の回転を可能にする状態であり、図１９のＵ字形金具及び可変抵抗モジュール（ＶＲＭ）を示す側面図
【図２６ｂ】Ｕ字形金具が少なくとも１８０度の回転を可能にする状態であり、図１９のＵ字形金具及び可変抵抗モジュール（ＶＲＭ）を示す側面図
【図２７】Ｕ字形金具用の回転制限メカニズムを示す可変抵抗モジュール（ＶＲＭ）及びＵ字形金具の斜視図
【図２８】クッションパッドを含む持ち運び可能な多目的全身エクササイズ器具の斜視図
【図２９】安定ボックスを含む持ち運び可能な多目的全身エクササイズ器具の斜視図
【図３０】安定ステップを含む持ち運び可能な多目的全身エクササイズ器具の斜視図
【図３１】垂直延長バーを含む持ち運び可能な多目的全身エクササイズ器具の斜視図
【図３２】スペース形成湾曲を有する垂直延長バーを含む持ち運び可能な多目的全身エクササイズ器具の側面図
【図３３ａ】解体された延長バーと内側ケースを含む持ち運び可能な多目的全身エクササイズ器具の斜視図
【図３３ｂ】持ち運び可能な多目的全身エクササイズ器具のコアの内部に保持された内側ケース内部に保持された延長バーを有する持ち運び可能な多目的全身エクササイズ器具の側面図
【発明を実施するための形態】
【００３１】
本発明の特徴、態様、及び利点は、以下の説明、添付の特許請求の範囲、及び添付図面により良く理解される。
【００３２】
図面の各図は必ずしも一律の縮尺では描かれておらず、その構成要素をより良く理解できるように描かれていて、本発明の範囲を限定する意図はなく、例を提示する意図のものである。さらに、各図は、持ち運び可能な多目的全身エクササイズ器具及びその構成要素の例示的実施形態を示していて、本開示による持ち運び可能な多目的全身エクササイズ器具及びその構成要素の構造または構成を限定しない。
【００３３】
（Ａ．様々な実施形態の背景）
本発明による持ち運び可能な多目的全身エクササイズ器具は、フィットネス全般のエクササイズ、ピラティスタイプのエクササイズ、体幹強化エクササイズ、治療エクササイズ、及びリハビリテーションエクササイズを行うことを望む人が使用できるように設計される。いくつかの実施形態では、持ち運び型ではなく、家庭用、スタジオ用、または屋外用の据付型の機器として設計される。基本的なユニットは、持ち運び可能であるように設計され、簡単に設置して使用できるように拡張付属器具を備える。
【００３４】
ヒトの体格には大きな個人差があるので、身長が６フィート３インチ（約１９０．５ｃｍ）よりも高い人には、より大型の装置が必要となる。より大型のモデルは、長くて直径が大きいが、基本器具と同じ拡張及び取付け機能を備える。さらに、平均よりも身体の小さい人が使用できるように、より小型のモデルを提供することもできる。
【００３５】
（Ｂ．様々な実施形態の詳細な説明）
本発明による持ち運び可能な多目的全身エクササイズ器具は、要求されるエクササイズまたはストレッチのタイプに応じて様々な構成で利用することができる。例えば、図１は、延長バーが格納位置にある状態での持ち運び可能な多目的全身エクササイズ器具の斜視図である。
剛質コアローラ１１が、ローラの中央外面を弾性被覆１２によって覆われていて、剛質部分１１の延在部（または突出端部）が露出している。弾性被覆１２は、コア１１の外面に取り付けられ、擦り切れたら交換することができる。剛質コア１１の各端部は、テンションバンド及び延長バーを受け取るための切欠き２０及び穴２１を有する。この構成での持ち運び可能な多目的全身エクササイズ器具は、フィットネス全般、ピラティス、ストレッチ、及びフォームローラに典型的な他のエクササイズに利用することができる。
【００３６】
横方向延長バー１３ａ及び１３ｂがコアローラ１１の一端から抜き出されて、切欠き２０に嵌められた状態での持ち運び可能な多目的全身エクササイズ器具の側面斜視図が図２に示されている。
可変抵抗モジュール（ＶＲＭ）１５ａ及び１５ｂが、旋回ブラケット１４ａ及び１４ｂを介して延長バー１３ａ及び１３ｂに取り付けられる。抵抗エクササイズのために、ハンドループまたはフットループ１６ａ及び１６ｂが、可変抵抗モジュール（ＶＲＭ）１５ａ及び１５ｂ内部の引張コードに接続される。可変抵抗モジュール（ＶＲＭ）１５ａ及び１５ｂは、例えば３、６、及び９ポンドの抵抗の範囲、または例えば５、１０、及び１５ポンドの抵抗の範囲、または任意の他の適切な増分する重量範囲内で選択可能な増分する抵抗量を加えられるように構成することができる。
【００３７】
両方の横方向延長バー１３ａ及び１３ｂが抜き出され、垂直延長バー１７ａが剛質コアローラ１１の一端で穴２１ａに配置された状態での持ち運び可能な多目的全身エクササイズ器具の側面斜視図が図３に示されている。
抵抗メカニズム１５ｃ及び１５ｄが垂直延長バー１７ａに固定して取り付けられ、使用者が垂直延長バー１７ａに頭を隣接させてコアローラの上に長手方向であおむけに寝たとき、ハンドループまたはフットループ１６ｃ及び１６ｄを介してこの抵抗メカニズム１５ｃ及び１５ｄを使用して、頭上強化エクササイズを行うことができる。
【００３８】
持ち運び可能な多目的全身エクササイズ器具が円筒形状であるので、上級者は、コアローラ上でバランスを取りながら可変抵抗モジュール（ＶＲＭ）を用いてエクササイズを行うことができる。そのエクササイズレベルに合っていない使用者は、安定用楔３０及び３１を使うことができる。これらを使用してローラを固定することができ、その状態で、使用者は、ローラの上に長手方向に横たわって、テンションプーリ、重錘負荷メカニズム、または可変抵抗モジュール（ＶＲＭ）を使用して強化エクササイズを行う。楔はそれぞれ、ローラの円周部を受け取るために長手方向側部に沿って略半円形状を切り取った単一の長方形ブロックから形成することができる。あるいは、楔を２つの鏡映対称形の部片から形成することができ、これらの部片は、端部どうしを突き合わせて配置したときに単一ブロックの楔と同じ全体の構成になる。
【００３９】
図４では、持ち運び可能な多目的全身エクササイズ器具は、その両端で、横方向延長バー１３ａ、１３ｂ、１３ｃ、１３ｄと垂直延長バー１７ａ及び１７ｂを定位置に備える。さらに、支持面でローラが移動しないように、安定用楔３０及び３１を提供することもできる。
【００４０】
この例示的実施形態の非常に独特な特徴の１つは、延長バーの格納性である。図５は、抜き出された位置での延長バー１３ａ及び１３ｂを示す、持ち運び可能な多目的全身エクササイズ器具の斜視断面図である。
延長バー１３ａ及び１３ｂは、チャネル４０ａ及び４０ｂの内部で摺動することができ、ピン４２ａ及び４２ｂによってチャネル４０ａ及び４０ｂに固定することができる。ピン４２ａ及び４２ｂは、それぞれスロット４１ａ及び４１ｂ内で摺動して、コアローラ内部に延長バーを固定する。
【００４１】
図６及び７は、一部抜き出された位置及び完全に引込んだ位置での延長バー１３ａ及び１３ｂを示す上面断面図であり、旋回ブラケットもしくはテンションプーリ、重錘負荷メカニズム、または可変抵抗モジュール（ＶＲＭ）は取り付けていない状態である。
【００４２】
図８は、ローラの格納及び持ち運びのために使用される着脱可能なエンドキャップ４６を付けた、持ち運び可能な多目的全身エクササイズ器具を示す。
【００４３】
図９は、楽に運べるようにキャリーバッグに入れた持ち運び可能な多目的全身エクササイズ器具を示す。
【００４４】
図１０ａ〜ｈは、本発明による持ち運び可能な多目的全身エクササイズ器具で行うことができる６種のエクササイズを示す。
例えば、図１０ｂには上腕三頭筋エクササイズが示され、図１０ｃには腹部／斜筋ひねり（ａｂｄｏｍｉｎａｌ／ｏｂｌｉｑｕｅ  ｃｒｏｓｓ）エクササイズが示され、図１０ｄにはつま先平行（ｐａｒａｌｌｅｌ  ｔｏｅｓ）エクササイズが示され、図１０ｅには座位船漕ぎ（ｓｅａｔｅｄ  ｒｏｗ）エクササイズが示され、図１０ｆにはバタフライ（「ペックフライ（ｐｅｃ  ｆｌｙ）」）エクササイズが示され、図１０ｇには「座位回転スイング（ｓｅａｔｅｄ  ｒｏｔａｔｉｎｇ  ｓｗｉｎｇ）」エクササイズが示され、図１０ｈには立位スクワット（ｓｔａｎｄｉｎｇ  ｓｑｕａｔ）エクササイズが示される。
【００４５】
本発明者は、行うことができる多くのエクササイズを想定しているが、ここでは図示しない。例えば、表１に列挙されるように、様々なタイプのウォーミングアップエクササイズ、ストレッチ、特定スポーツ向けの練習（例えばゴルフやテニスのスイング練習）、及びフィットネス全般のエクササイズを行うことができる。
【００４６】
【表１Ａ】
0005650213.tif 000002
【００４７】
【表１Ｂ】
0005650213.tif 000003
【００４８】
【表１Ｃ】
0005650213.tif 000004
【００４９】
【表１Ｄ】
0005650213.tif 000005
【００５０】
【表１Ｅ】
0005650213.tif 000006
【００５１】
【表１Ｆ】
0005650213.tif 000007
【００５２】
【表１Ｇ】
0005650213.tif 000008
【００５３】
表１に列挙したエクササイズの例から分かるように、エクササイズ器具をより持ち運びやすくするためにローラのコア内部に収めることができ、実際に収まる多数の付属部品と、持ち運び可能なエクササイズ器具の例示的実施形態の多数の構成とにより、エクササイズ器具を使用して行うことができるエクササイズの選択肢の数が増え、基本器具の用途が増える。
【００５４】
本発明者が想定している他の実施形態も提供される。１つのそのような実施形態は図１１におけるものであり、この実施形態は延長バーを含み、延長バーは、コアローラ内部に緩く格納されていて、取り外され、剛質コアローラの端部にある穴内に配置されている。抵抗エクササイズのために、延長バーの端部の穴にテンションバンドが固定されることがある。
【００５５】
図１１ｂは、コアローラ内部での様々な格納形態で示される旋回ブラケット及び可変抵抗モジュールを有する延長バーを示す。
【００５６】
図１２に示される別の実施形態は、持ち運び可能な多目的全身エクササイズ器具の剛質端部の１つを受け取るために穴を開けられた安定用ボード３２であり、使用中のローラの安定性をさらに高める補助となるように使用することができる。テンションバンドは、穴３３内に配置されるか、または安定化機構の裏面の周りに固定されることがあり、さらなる抵抗エクササイズのために前記安定用ボードの切欠き３４と係合することができる。
【００５７】
図１２の安定用ボード３２は様々な形状でよく、長方形、さらには使用中に床に接する平坦な縁部を有する円形にすることができる。剛質コアの端部にある穴２１内に配置された保持ピン３５が、使用中に安定用ボードが剛質コアローラ１１の端部から外れて摺動するのを防ぐ。
【００５８】
別の付属部品が図１３及び図１４に示されている。床スタンド３６を採用して、本発明による持ち運び可能な多目的全身エクササイズ器具を、特定のタイプのエクササイズで使用するために垂直に保つことができ、または床面積をあまり取らないでエクササイズ器具を簡単に収納できる。
【００５９】
別の例示的実施形態として、図１５ａに、抵抗変更ノブを含む、可変抵抗モジュール１５に取り付けられた旋回ブラケット１４の斜視図を示す。
【００６０】
図１５ｂは、可変抵抗モジュール１５に取り付けられた旋回ブラケット１４の正面図、側面図、及び底面図を示す。
【００６１】
（Ｃ．代替実施形態）
持ち運び可能な多目的全身エクササイズ器具の代替実施形態を図１６〜２１ｂに示す。前述した実施形態と実質的に同様の構成を有するこの実施形態では、交換可能な弾性被覆５２を有する剛質コアローラ５０が提供される。
【００６２】
図１６に示すように、剛質コアローラ５０は、突出（開）端部を有し、この端部は、弾性被覆５２の長手方向で弾性被覆５２の端部を越えて延在する。剛質ローラ５０の一方の開端部はダミーキャップ５４によって閉じることができ、このダミーキャップ５４は、簡単に取り外せるようには意図されていない。ダミーキャップ５４は、ローラ５０と一体に形成することができ、または別個に形成して、例えば接着結合やリベットによってローラの開端部にほぼ永久的に取り付けることもできる。剛質ローラ５０の他方の開端部５６は、着脱可能であり係止可能なキャップ５８によって選択的に閉じることができる。
【００６３】
ローラ５０の開端部を閉じる着脱可能であり係止可能なキャップ５８の詳細を図１７〜１８ｂに示し、以下でさらに論じる。
【００６４】
着脱可能な延長バー６４は、ローラ５０の開端部５６に位置するように備え付けられて、ローラの本体から離れるように延びる垂直延長アームを提供する。Ｕ字形金具６６及び可変抵抗モジュール（ＶＲＭ）６８が、延長バー６４のそれぞれの端部に提供される。ハンドループまたはフットループ７４がケーブルまたはコード７６に接続され、ケーブルまたはコード７６は、可変抵抗モジュール（ＶＲＭ）６８内に巻き取られ、それにより、ハンドループまたはフットループ７４を掴んでいるかループの中に挿し入れられている使用者の手または足に対して抵抗を加える。このようにして、本発明による持ち運び可能な多目的全身エクササイズ器具は、多数の前述したエクササイズの任意のものに使用することができる。
【００６５】
図１９及び２０で最も良く見られるように、可変抵抗モジュール（ＶＲＭ）６８は、ほぼ３６０度にわたってＵ字形金具６６内で回転することができ、可変抵抗モジュール（ＶＲＭ）６８のケーシングに提供される回転ストッパ部分７０によってのみ回転角度を制限される。回転ストッパ部分７０は、Ｕ字形金具６６の支持アームに選択的に係合して、可変抵抗モジュール（ＶＲＭ）６８が妨げなく完全に回転するのを防止する。回転ストッパ部分７０は、盛り上がったほぼＶ字の形状で構成することができ、それにより、Ｖ字形回転ストッパ７０の片側がＵ字形金具６６のアームの片側に選択的に係合して、一方向での回転を防止し、Ｖ字形の回転ストッパ７０の他方の側がＵ字形金具６６のアームの他方の側に選択的に係合して、逆方向での回転を防止する。したがって、Ｖ字形回転ストッパ７０とＵ字形金具のアームとの選択的な係合が、可変抵抗モジュール（ＶＲＭ）６８が完全に一回転するのを妨げる。
【００６６】
図１９で最も良く見ることができるように、可変抵抗モジュール（ＶＲＭ）６８はまた、２つの抵抗選択ボタン７２を含む。前述したように、可変抵抗モジュール（ＶＲＭ）６８は、３つの異なる増分する抵抗量を提供することができる。２つの抵抗選択ボタン７２のどちらも押されていないとき、第１の最小の抵抗量が生成される。２つの抵抗選択ボタン７２の一方が押されているとき、第２の中間の抵抗が生成される。第３の最大の抵抗は、両方の抵抗選択ボタン７２が押されたときに生成される。
【００６７】
可変抵抗は、可変抵抗モジュール（ＶＲＭ）６８内部に設けられた複数のばね抵抗部材によって達成される。ここで、異なる抵抗選択ボタン７２が押されるときに、複数のばね抵抗部材のうち選択された部材が係合され、ケーブルまたはコード７６の回転及び巻き解きに抵抗する。ケーブルまたはコード７６を巻き取る内部プーリは、使用者がケーブルまたはコード７６に加えている引張力が解放されたときにケーブルまたはコード７６を自動的に巻き取るようにバイアス力をかけることができる。
【００６８】
可変抵抗モジュール（ＶＲＭ）６８の内部構成要素が、図２１、２２ａ、２２ｂ、２３ａ、２３ｂ、２４ａ、２４ｂ、及び２５に最も良く示されている。抵抗選択メカニズムは、どちらの抵抗選択ボタン７２に関しても同じであり、したがって、一方の抵抗選択ボタン７２の以下の説明が両方の抵抗選択ボタン７２に当てはまる。
【００６９】
特に、図２１、２２ａ、２２ｂでは、１つの抵抗選択ボタン７２が押された構成で示されている。抵抗選択ボタン７２は、バイアス部材１２２を受け止めるシャフト１２０を含み、このシャフト１２０は、可変抵抗モジュール（ＶＲＭ）６８内部に位置決めされたシャフト受取りケージ１２４を通って延びる。
【００７０】
抵抗選択ボタン７２とは反対側のシャフト１２０の端部は、回動カム１２６に係合する。回動カム１２６はロッカーバー１２８に係合し、ロッカーバー１２８は、その一端に係合歯１３０を含む。
【００７１】
図２４ａ及び２４ｂに例として最も良く示されているように、回動カム１２６とロッカーバー１２８はそれぞれ、互いに所要の接触を行うようにバイアス力をかけられる（回動カム１２６は、シャフト１２０の端部と接触するようにバイアス力をかけられ、ロッカーバー１２８は、回動カム１２６と接触するようにバイアス力をかけられる）。
【００７２】
抵抗を選択するために抵抗選択ボタン７２が押されるとき、回動カム１２６が枢動され、ロッカーバー１２８が回転し、それにより係合歯１３０がラチェット板１３２上のラチェット歯の１つに係合する。ラチェット板１３２はトーションばね（図示せず）に結合され、このトーションばねがばね板１３４に係合し、ばね板１３４は巻取りプーリ１３６に結合され、巻取りプーリ１３６もまたトーションばね（図示せず）を含むことがあり、第１の抵抗、及び／またはケーブル／コード７６を巻き上げるためのメカニズムを形成する。
【００７３】
抵抗を選択するために抵抗選択ボタン７２が押され、ロッカーバー１２８の係合歯１３０がラチェット板１３２のラチェット歯に係合すると、ラチェット板１３２は、可変抵抗モジュール（ＶＲＭ）６８内部で自由には回転できなくなり、それによりトーションばねがラチェット板１３２とばね板１３４の間に係合されて、ケーブル／コード７６の引張りに対するさらなる抵抗力を生み出す。
【００７４】
図２３ａ及び２３ｂに示されるように、抵抗選択ボタン７２が押されないとき、ロッカーバー１２８の係合歯１３０はラチェット板１３２の歯に係合せず、したがってラチェット板１３２は自由に回転することができ、そのためトーションばねはラチェット板１３２とばね板１３４の間に係合されず、したがってトーションばね及び巻取りプーリ１３６のみによって抵抗が提供される。
【００７５】
抵抗選択ボタン７２を図２５に詳細に示す。抵抗選択ボタン７２は、ボタンを一度押すと押された状態でロックされ、もう一度押すと、ロックされた押された状態から解除されるように構成される。このようにして、可変抵抗モジュール（ＶＲＭ）６８の抵抗は、押された状態でロックされている抵抗選択ボタン７２が１つであるか、２つであるか、またはどちらもロックされていないかに応じて、３つの設定の１つに設定してロックすることができる。
【００７６】
より多様な強度トレーニングを提供するために、異なる抵抗増分を有する交換可能な可変抵抗モジュール（ＶＲＭ）６８を提供して、延長バー６４に取り付けることができる。
【００７７】
図２６ａ及び２６ｂに示されるように、Ｕ字形金具６６は、可変抵抗モジュール（ＶＲＭ）６８の回転軸に垂直な軸の周りでの回転も提供する。Ｕ字形金具６６は、任意の大きさの所望の回転を行えるようにすることができ、または回転制限メカニズムを設けることができる。
【００７８】
例えば、図２７に示されるように、Ｕ字形金具６６の回転制限メカニズムが提供される。例示の回転制限メカニズムは、延長バー６４の端部に挿入されたＵ字形金具回転シャフト９６に形成された溝９４の形態である。溝９４の円周方向サイズが、Ｕ字形金具６６の角度回転量を決定する。止め具９８（この場合にはねじまたは小ねじ）が、延長バー６４を通して挿入され、溝９４内に位置して、延長バー６４に対するＵ字形金具６６の回転を制限する。Ｕ字形金具回転シャフト９６の円周に沿って所望の回転量で溝９４を提供することによって、任意の適切な所望の回転範囲、例えば２７０度、１８０度、９０度、４５度、または任意の他の所望の３６０度以内の範囲を提供することができる。
【００７９】
前述した実施形態と同様に、延長バー６４は、ローラ５０から取外し可能であり、多目的全身エクササイズ器具の持ち運びを容易にするためにローラ５０の中空キャビティ内部に格納することができる。
【００８０】
簡単に何度でも延長バー６４をローラ５０に適切に配置できるように、図１７に示されるように、ローラ５０の開端部５６でローラ５０の壁に位置合わせ切欠き６０が提供される。４つの位置合わせ切欠き６０が示されているが、それよりも多いまたは少ない切欠きを利用することもできる。
【００８１】
延長バー６４は位置合わせフランジ７８を含み、位置合わせフランジ７８は、位置合わせ切欠き６０に対して相補形であって対応して位置決めされ、したがって位置合わせ切欠き６０内部に位置して延長バー６４を適切に位置決めする。
【００８２】
さらに、延長バー６４の適切な位置決め及び保持をさらに保証するために位置決め部片８０を提供することができる。位置決め部片８０も位置合わせフランジ８２を含み、延長バー６４の上で、延長バー６４に対して垂直にローラ５０の開端部５６内に挿入することができ、それにより、位置合わせフランジ８２は、延長バー６４の位置合わせフランジ７８が係合しない位置合わせ切欠き６０と係合する。
【００８３】
さらに、着脱可能及び係止可能なエンドキャップ５８がローラ５０の開端部５６に取り付けられて、延長バー６４及び位置決め部片８０を定位置に係止する。
【００８４】
図１７で見られるように、ロックストップ６２が、着脱可能及び係止可能なエンドキャップ５８上のロックストップ受取り部分８６と選択的に係合するように、ローラ５０の開端部５６の内周面に沿って位置決めされる（図１８ａ、１８ｂ）。
【００８５】
着脱可能及び係止可能なエンドキャップ５８にはハンドル８４が設けられ、それにより使用者はハンドル８４を掴んで、エンドキャップ５８をローラ５０の開端部５６に挿入し、エンドキャップ５８を非係止向きから係止向きに回転させることができる。
【００８６】
ハンドル８４はバイアスロックボタン８８を含む。図１８ａ及び１８ｂに示されるように、バイアスロックボタン８８は、ロックストップ６２に選択的に係合するように係止縁部９２を片側に有する傾斜部分９０を含み、非係止向きへのエンドキャップ５８の意図していない回転を防止する。
【００８７】
使用時、エンドキャップ５８をローラ５０の開端部５６に挿入し、ロックストップ６２を、それぞれのロックストップ受取り部分８６に挿入するために位置合わせする。次いで、ロックボタン８８を係合させない状態でエンドキャップ５８を回転させることができ、それによりロックストップ６２は、ロックボタン８８の傾斜部分９０に接触して、バイアス力に反してロックボタン８８を移動させ、ロックボタン８８を通り過ぎてロックストップ受取り部分８６に入ることができるようになる。
【００８８】
ロックストップ６２がロックボタン８８を通り過ぎてロックストップ受取り部分８６まで移動した後、ロックボタン８８が非作動位置にバイアス力をかけられて戻り、それにより係止縁部９２がロックストップ６２に係合して、ロックストップ６２がロックストップ受取り部分８６から外れて回転するのを防止する。エンドキャップ５８を取り外すためには、ロックボタン８８をバイアス力に反して作動させる。それにより係止縁部９２はロックストップ６２との係合から外れ、したがってロックストップ６２を回転させてロックストップ受取り部分８６から外すことができる。
【００８９】
このようにすると、着脱可能なエンドキャップ５８は、その意図していない回転を防止するように選択的に係止可能であり、ローラ５０の開端部５６に接続された延長バー６４を確実に保持する。
【００９０】
したがって、本発明による持ち運び可能な多目的全身エクササイズ器具のこの実施形態は、延長バーを器具内部に格納した持ち運び可能な構成から動作構成に器具を構成する迅速で簡単な方法を提供する。動作構成では、行うことができる多数の異なるエクササイズを使用者に提供する助けとなるように、抵抗モジュールを設けるために延長バーが器具の端部に配置される。
【００９１】
（Ｄ．様々な付属部品）
本発明による持ち運び可能な多目的全身エクササイズ器具のための様々な付属部品を提供することもできる。
【００９２】
例えば、図２８に示されるように、高齢者や骨粗鬆症患者など、骨盤及び寛骨が比較的弱い使用者のために、追加の保護付属部品を提供することができる。特に、ローラの上に使用者が横たわるまたは座る必要がある特定のエクササイズ中に、クッションパッド１００を提供して、ローラにわたって使用者の骨盤領域の下に平らに敷くことができる。クッションパッド１００は、任意の適切な形状またはサイズでよく、適切な粘弾性フォームまたはゲル材料、例えばシリコーンなどから形成されることがあり、または膨張可能な嚢を含むことがある。このようにすると、クッションパッド１００が使用者の骨盤領域をさらに支持する。
【００９３】
骨盤及び寛骨が比較的弱い使用者、または、比較的大きな使用者のためにやはり提供することができる図２９に示される代替付属部品は安定ボックス１０２である。
安定ボックス１０２は細長いボックスの形態であり、これがローラの上に配置され、それにより使用者は、特定のエクササイズを行うために、ローラ５０ではなく安定ボックス１０２の上に横たわるまたは座ることができる。安定ボックス１０２は、その長手方向両端で開いていてよく、ローラ５０の端部の一方または両方が安定ボックス１０２の端部を越えて延在することができるように安定ボックス１０２内部にローラを収容する。このようにすると、安定ボックス１０２は、特定のエクササイズを行う間に使用者が横たわるまたは座るためのより安定した大きな表面積を提供することができ、それでも依然としてローラ自体とのあるレベルのユーザインターフェースを可能にし、いくつかのエクササイズの不安定要素を残しておく。
【００９４】
図３０に示されるように、ローラをステップエクササイズ器具としての使用に適した構成にするために、安定ボックス１０２と同様の付属部品を提供することができる。
特に、（安定ボックス１０２がローラ５０を覆うのと同様に）安定ステップ１０４を設けて延長バー６４の上に座れるようにすることができ、また延長バー６４の下に支持を設けて、支持面でのローラ５０の回転を防止することができる。安定ステップ１０４が延長バー６４の上に定位置に被さり、かつ延長バー６４を支持した状態で、使用者は、可変抵抗モジュール（ＶＲＭ）６８を利用するためにハンドループ７４を操作しながら、または操作することなく、ステップエクササイズを行うことができる。
【００９５】
図３１及び３２に示されるように、追加の付属部品は延長バー１０６（その全般的な詳細は延長バー６４に関して上述した）でよく、例えば、着脱可能なエンドキャップ５８に提供された穴に垂直延長バー１０６の一端を挿入することによって、着脱可能なエンドキャップ５８に延長バー１０６を着脱可能に接続することができる。
着脱可能なエンドキャップ５８に垂直延長バー１０６を着脱可能に接続するための任意の他の適切なメカニズムを使用することもできる。図示されるように、垂直延長バー１０６は、反対側の端部に接続された２つの可変抵抗モジュール（ＶＲＭ）６８を含むことができる。図３２に示される例示的実施形態では、垂直延長バー１０６は、着脱可能なエンドキャップ５８の近くにスペース形成湾曲１０８を設けて、使用者と垂直延長バー１０６の間により大きなスペースを提供することができる。延長バー６４と同様に、垂直延長バー１０６も、運びやすくするために、ローラ５０の中空部分の中央に保持されるように構成することができる。
【００９６】
さらなる付属部品の使用が図３３ａ及び３３ｂに示される。
特に、内側ケース１１０は、延長バーがローラ５０の内部に格納されるときに、延長バー６４を収容して保護するために提供される。内側ケース１１０は、概して円筒形状に形成することができ、閉じた端部を有し、その一方の側に沿って開口１１２が概して長手方向に設けられる。開口１１２を通してケース１１０内に延長バー６４を挿入することができる。内側ケース１１０は、任意の適切な材料から形成することができ、半剛質または軟質ケースでよい。例示の材料としては、例えば、軟質布地、ネオプレンゴム、任意の他の連続気泡フォームもしくは独立気泡フォーム、または任意のゲル材料、または任意の適切なプラスチック材料、例えば低密度もしくは高密度ポリエチレンがある。ケース１１０が布地材料から形成される場合、開口は、例えば、ジッパー閉止、スナップ閉止、及び／またはフックとループによる閉止の使用によって閉じることができる。半剛質プラスチックケースの場合、材料の固有の弾性により開口が閉じることもよくある。
【００９７】
開口１１２を通して延長バー６４をケース１１０内に挿入した後、図３３ｂに示されるようにローラ５０の開いた空間内にケース１１０を挿入して、エクササイズ器具を収納して容易に持ち運びできるようになる。
【００９８】
提供することができるさらなる付属部品として、限定はしないが、エクササイズ器具を楽に運べるようにエクササイズ器具を中に入れるために提供される外装キャリーバッグ（例えば図９に示される）がある。
そのようなキャリーバッグは、１つまたは複数のストラップ、例えばショルダストラップを含むことができ、それにより手が空いた状態で、より楽にエクササイズ器具を持ち運ぶことができる。そのようなショルダストラップは、例えばエクササイズ器具自体の端部に直接着脱可能に取り付けることができる。これは、例えばスナップファスナによって、またはエクササイズ器具の端部に固定されたリングに着脱可能に接続するストラップの端部にあるクリップによって行われる。
【００９９】
（Ｅ．結語）
本発明による持ち運び可能な多目的全身エクササイズ器具及びその構成要素は、任意の適切な材料から形成することができる。
【０１００】
また、本発明による持ち運び可能な多目的全身エクササイズ器具の構成要素に関する特定のサイズ範囲を開示したが、本発明による持ち運び可能な多目的全身エクササイズ器具及びその構成要素は、様々な体型の人が使用するのに適するように任意の適切なサイズを有することができる。
【０１０１】
当然ながら、本発明の任意の特定の実施形態に従って必ずしもすべての目的または利点を実現することができるわけではない。すなわち、例えば、本明細書で教示した１つの利点または利点のグループを実現または最適化するように本発明を具現化または実施することができ、本明細書で教示または示唆した他の目的または利点は必ずしも実現しなくてもよい。
【０１０２】
熟練したトレーナーまたはアスリートは、開示した実施形態及び変形形態からの様々な開示した特徴の交換性を認識できる。本明細書で説明した変形形態に加えて、当業者は、各特徴に関する他の既知の均等形態を組み合わせて合致させ、本発明の原理による持ち運び可能な多目的全身エクササイズ器具を構成することができる。
【０１０３】
本発明を例示的実施形態及び実施例の文脈で開示したが、本発明は、特に開示した本発明の実施形態を越えて他の代替実施形態及び／または使用法ならびに本発明の明白な修正形態及び均等形態にまで及ぶ。本出願で開示する本発明の範囲は、上で開示した特定の実施形態のみに限定すべきではないものと意図されている。
【図１】
0005650213.tif 000009
【図２】
0005650213.tif 000010
【図３】
0005650213.tif 000011
【図４】
0005650213.tif 000012
【図５】
0005650213.tif 000013
【図６】
0005650213.tif 000014
【図７】
0005650213.tif 000015
【図８】
0005650213.tif 000016
【図９】
0005650213.tif 000017
【図１０ａ】
0005650213.tif 000018
【図１０ｂ】
0005650213.tif 000019
【図１０ｃ】
0005650213.tif 000020
【図１０ｄ】
0005650213.tif 000021
【図１０ｅ】
0005650213.tif 000022
【図１０ｆ】
0005650213.tif 000023
【図１０ｇ】
0005650213.tif 000024
【図１０ｈ】
0005650213.tif 000025
【図１１ａ】
0005650213.tif 000026
【図１１ｂ】
0005650213.tif 000027
【図１２】
0005650213.tif 000028
【図１３】
0005650213.tif 000029
【図１４】
0005650213.tif 000030
【図１５ａ】
0005650213.tif 000031
【図１５ｂ】
0005650213.tif 000032
【図１６】
0005650213.tif 000033
【図１７】
0005650213.tif 000034
【図１８ａ】
0005650213.tif 000035
【図１８ｂ】
0005650213.tif 000036
【図１９】
0005650213.tif 000037
【図２０】
0005650213.tif 000038
【図２１】
0005650213.tif 000039
【図２２ａ】
0005650213.tif 000040
【図２２ｂ】
0005650213.tif 000041
【図２３ａ】
0005650213.tif 000042
【図２３ｂ】
0005650213.tif 000043
【図２４ａ】
0005650213.tif 000044
【図２４ｂ】
0005650213.tif 000045
【図２５】
0005650213.tif 000046
【図２６ａ】
0005650213.tif 000047
【図２６ｂ】
0005650213.tif 000048
【図２７】
0005650213.tif 000049
【図２８】
0005650213.tif 000050
【図２９】
0005650213.tif 000051
【図３０】
0005650213.tif 000052
【図３１】
0005650213.tif 000053
【図３２】
0005650213.tif 000054
【図３３ａ】
0005650213.tif 000055
【図３３ｂ】
0005650213.tif 000056